【手続補正書】
【提出日】平成17年2月17日(2005.2.17)
【手続補正１】
【補正対象書類名】明細書
【補正対象項目名】特許請求の範囲
【補正方法】変更
【補正の内容】
【特許請求の範囲】
【請求項１】
少なくとも主走査方向に離間した複数の発光点を有する光源手段と、該光源手段から発せられた複数の光束を偏向する偏向手段と、該偏向手段で偏向された該複数の光束を被走査面上に結像させる走査光学系と、を有するマルチビーム光走査装置において、
前記偏向手段の偏向面に入射する複数の光束の夫々の主走査方向の幅が、前記偏向手段の偏向面の主走査方向の幅よりも広く、
該光源手段から発せられた複数の光束が前記偏向手段へ入射する際に該複数の光束の主光線が主走査方向に成す角度をα（ｒａｄ）、該偏向手段の偏向面から該偏向手段の回転中心までの距離をＬｄｅｆ（ｍｍ）、前記走査光学系の主走査方向の焦点距離をｆｋ（ｍｍ）、該光源手段から発せられた複数の光束を該偏向手段に導くための入射光学系の光軸が該走査光学系の光軸との主走査方向に成す角度をＱ（ｒａｄ）、該偏向面で偏向された光束の主光線と該走査光学系の光軸との主走査方向に成す角度を画角θ（ｒａｄ）としたとき、次の条件を満足することを特徴とするマルチビーム光走査装置。
｛（α×Ｌｄｅｆ）／（２×ｆｋ）｝×｛ｃｏｓ（Ｑ／２）−ｓｉｎ（Ｑ／２）×ｔａｎθ｝≦０．０１４
【請求項２】
少なくとも主走査方向に離間した複数の発光点を有する光源手段と、該光源手段から発せられた複数の光束を偏向する偏向手段と、該偏向手段で偏向された該複数の光束を被走査面上に結像させる走査光学系と、を有するマルチビーム光走査装置において、
前記偏向手段の偏向面に入射する複数の光束の夫々の主走査方向の幅が、前記偏向手段の偏向面の主走査方向の幅よりも広く、
該光源手段から発せられた複数の光束が該偏向手段へ入射する際に該複数の光束の主光線が主走査方向に成す角度をα（ｒａｄ）、該偏向手段の偏向面から該偏向手段の回転中心までの距離をＬｄｅｆ（ｍｍ）、前記走査光学系の主走査方向の焦点距離をｆｋとしたとき、次の条件を満足することを特徴とするマルチビーム光走査装置。
（α×Ｌｄｅｆ）／（２×ｆｋ）≦０．０１４
【請求項３】
少なくとも主走査方向に離間した複数の発光点を有する光源手段と、該光源手段から発せられた複数の光束を偏向する偏向手段と、該偏向手段で偏向された該複数の光束を被走査面上に結像させる走査光学系と、該偏向手段で偏向された複数の光束を受光し、該複数の光束が該被走査面上の走査有効範囲へ走査を開始するタイミングを検知する同期検知手段とを有するマルチビーム光走査装置において、
前記偏向手段の偏向面に入射する複数の光束の夫々の主走査方向の幅が、前記光源手段から発せられた複数の光束を前記被走査面上の走査有効範囲全域ならびに走査有効範囲外に設けられた同期検知手段へ向けて偏向させる際に前記偏向手段の偏向面が移動して存在しうる主走査方向の移動範囲よりも広くなっており、
該光源手段から発せられた複数の光束が該偏向手段へ入射する際に該複数の光束の主光線が主走査方向に成す角度をα（ｒａｄ）、該偏向手段の偏向面から該偏向手段の回転中心までの距離をＬｄｅｆ（ｍｍ）、前記走査光学系の主走査方向の焦点距離をｆｋ（ｍｍ）、該光源手段から発せられた複数の光束を該偏向手段に導くための入射光学系の光軸が該走査光学系の光軸との主走査方向に成す角度をＱ（ｒａｄ）、該偏向面で偏向された光束の主光線と該走査光学系の光軸との主走査方向に成す角度を画角θ（ｒａｄ）としたとき、次の条件を満足することを特徴とするマルチビーム光走査装置。
｛（α×Ｌｄｅｆ）／（２×ｆｋ）｝×｛ｃｏｓ（Ｑ／２）−ｓｉｎ（Ｑ／２）×ｔａｎθ｝≦０．０１４
【請求項４】
少なくとも主走査方向に離間した複数の発光点を有する光源手段と、該光源手段から発せられた複数の光束を偏向する偏向手段と、該偏向手段で偏向された該複数の光束を被走査面上に結像させる走査光学系と、該偏向手段で偏向された複数の光束を受光し、該複数の光束が該被走査面上の走査有効範囲へ走査を開始するタイミングを検知する同期検知手段とを有するマルチビーム光走査装置において、
前記偏向手段の偏向面に入射する複数の光束の夫々の主走査方向の幅が、前記光源手段から発せられた複数の光束を前記被走査面上の走査有効範囲全域ならびに走査有効範囲外に設けられた同期検知手段へ向けて偏向させる際に前記偏向手段の偏向面が移動して存在しうる主走査方向の移動範囲よりも広くなっており、
該光源手段から発せられた複数の光束が該偏向手段へ入射する際に該複数の光束の主光線が主走査方向に成す角度をα（ｒａｄ）、該偏向手段の偏向面から該偏向手段の回転中心までの距離をＬｄｅｆ（ｍｍ）、前記走査光学系の主走査方向の焦点距離をｆｋとしたとき、次の条件を満足することを特徴とするマルチビーム光走査装置。
（α×Ｌｄｅｆ）／（２×ｆｋ）≦０．０１４
【請求項５】
前記光源手段から前記偏向手段までの間にある入射光学系の光軸は、前記走査光学系の光軸に対して主走査方向に角度を有していることを特徴とする請求項１〜４のいずれか一項記載のマルチビーム光走査装置。
【請求項６】
前記光源手段から前記偏向手段までの間にある入射光学系の光軸が該走査光学系の光軸との主走査方向に成す角度をＱ（ｒａｄ）、前記偏向面で偏向された光束の主光線と該走査光学系の光軸との主走査方向に成す最大画角をθｍａｘ（ｒａｄ）としたとき、次式を満足することを特徴とする請求項１〜５のいずれか一項記載のマルチビーム光走査装置。
θｍａｘ≦Ｑ／４
【請求項７】
主走査方向において前記光源手段から前記偏向手段までの間にある入射光学系の光軸は、前記走査光学系の光軸と平行であることを特徴とする請求項１〜４のいずれか一項記載のマルチビーム光走査装置。
【請求項８】
前記偏向手段の偏向面から前記偏向手段の回転中心までの距離をＬｄｅｆ（ｍｍ）、主走査断面内にある前記偏向手段の側面のうち前記偏向手段の回転中心から最も遠くに離れた側面から前記偏向手段の回転中心までの距離をＬｍａｘ（ｍｍ）としたとき、次の条件を満足することを特徴とする請求項１〜７記載のマルチビーム光走査装置。
Ｌｄｅｆ＜Ｌｍａｘ
【請求項９】
前記偏向手段はポリゴンミラーであることを特徴とする請求項１〜８記載のマルチビーム光走査装置。
【請求項１０】
前記偏向手段はガルバノミラーであることを特徴とする請求項１〜８記載のマルチビーム光走査装置。
【請求項１１】
前記偏向手段によって偏向された複数の光束の一部が前記走査光学系とは異なる同期検知用光学系を介して同期検知手段へ導光されることを特徴とする請求項１〜１０記載のマルチビーム光走査装置。
【請求項１２】
前記光源手段はモノリシックな半導体レーザーを用いたことを特徴とする請求項１〜１０記載のマルチビーム光走査装置。
【請求項１３】
前記光源手段から発せられた複数の光束は合成手段により合成されて前記偏向手段へ導光されることを特徴とする請求項１〜１２記載のマルチビーム光走査装置。
【請求項１４】
請求項１〜１３のいずれか一項に記載の光走査装置と、前記被走査面に配置された感光体と、前記光走査装置で走査された光束によって前記感光体上に形成された静電潜像をトナー像として現像する現像器と、前記現像されたトナー像を被転写材に転写する転写器と、転写されたトナー像を被転写材に定着させる定着器とから成る画像形成装置。
【請求項１５】
請求項１４に記載の光走査装置と、外部機器から入力したコードデータを画像信号に変換して前記光走査装置に入力せしめるプリンタコントローラとから成る画像形成装置。
【請求項１６】
請求項１〜１３のいずれか一項に記載の光走査装置から成る複数の走査光学装置と、各々の光走査装置の被走査面に配置され、互いに異なった色の画像を形成する複数の像担持体とから成るカラー画像形成装置。
【請求項１７】
更に、外部機器から入力した色信号を異なった色の画像データに変換して各々の光走査装置に入力せしめるプリンタコントローラを備えた請求項１６記載のカラー画像形成装置。
【手続補正２】
【補正対象書類名】明細書
【補正対象項目名】００２３
【補正方法】変更
【補正の内容】
【００２３】
【課題を解決するための手段】
上記問題を解決するために、第１の発明は、少なくとも主走査方向に離間した複数の発光点を有する光源手段と、該光源手段から発せられた複数の光束を偏向する偏向手段と、該偏向手段で偏向された該複数の光束を被走査面上に結像させる走査光学系と、を有するマルチビーム光走査装置において、
前記偏向手段の偏向面に入射する複数の光束の夫々の主走査方向の幅が、前記偏向手段の偏向面の主走査方向の幅よりも広く、
該光源手段から発せられた複数の光束が前記偏向手段へ入射する際に該複数の光束の主光線が主走査方向に成す角度をα（ｒａｄ）、該偏向手段の偏向面から該偏向手段の回転中心までの距離をＬｄｅｆ（ｍｍ）、前記走査光学系の主走査方向の焦点距離をｆｋ（ｍｍ）、該光源手段から発せられた複数の光束を該偏向手段に導くための入射光学系の光軸が該走査光学系の光軸との主走査方向に成す角度をＱ（ｒａｄ）、該偏向面で偏向された光束の主光線と該走査光学系の光軸との主走査方向に成す角度を画角θ（ｒａｄ）としたとき、次の条件を満足する構成をとる。
｛（α×Ｌｄｅｆ）／（２×ｆｋ）｝×｛ｃｏｓ（Ｑ／２）−ｓｉｎ（Ｑ／２）×ｔａｎθ｝≦０．０１４
【手続補正３】
【補正対象書類名】明細書
【補正対象項目名】００２４
【補正方法】変更
【補正の内容】
【００２４】
第２の発明は、少なくとも主走査方向に離間した複数の発光点を有する光源手段と、該光源手段から発せられた複数の光束を偏向する偏向手段と、該偏向手段で偏向された該複数の光束を被走査面上に結像させる走査光学系と、を有するマルチビーム光走査装置において、
前記偏向手段の偏向面に入射する複数の光束の夫々の主走査方向の幅が、前記偏向手段の偏向面の主走査方向の幅よりも広く、
該光源手段から発せられた複数の光束が該偏向手段へ入射する際に該複数の光束の主光線が主走査方向に成す角度をα（ｒａｄ）、該偏向手段の偏向面から該偏向手段の回転中心までの距離をＬｄｅｆ（ｍｍ）、前記走査光学系の主走査方向の焦点距離をｆｋとしたとき、次の条件を満足する構成をとる。
（α×Ｌｄｅｆ）／（２×ｆｋ）≦０．０１４
【手続補正４】
【補正対象書類名】明細書
【補正対象項目名】００２５
【補正方法】変更
【補正の内容】
【００２５】
第３の発明は、少なくとも主走査方向に離間した複数の発光点を有する光源手段と、該光源手段から発せられた複数の光束を偏向する偏向手段と、該偏向手段で偏向された該複数の光束を被走査面上に結像させる走査光学系と、該偏向手段で偏向された複数の光束を受光し、該複数の光束が該被走査面上の走査有効範囲へ走査を開始するタイミングを検知する同期検知手段とを有するマルチビーム光走査装置において、
前記偏向手段の偏向面に入射する複数の光束の夫々の主走査方向の幅が、前記光源手段から発せられた複数の光束を前記被走査面上の走査有効範囲全域ならびに走査有効範囲外に設けられた同期検知手段へ向けて偏向させる際に前記偏向手段の偏向面が移動して存在しうる主走査方向の移動範囲よりも広くなっており、
該光源手段から発せられた複数の光束が該偏向手段へ入射する際に該複数の光束の主光線が主走査方向に成す角度をα（ｒａｄ）、該偏向手段の偏向面から該偏向手段の回転中心までの距離をＬｄｅｆ（ｍｍ）、前記走査光学系の主走査方向の焦点距離をｆｋ（ｍｍ）、該光源手段から発せられた複数の光束を該偏向手段に導くための入射光学系の光軸が該走査光学系の光軸との主走査方向に成す角度をＱ（ｒａｄ）、該偏向面で偏向された光束の主光線と該走査光学系の光軸との主走査方向に成す角度を画角θ（ｒａｄ）としたとき、次の条件を満足する構成をとる。
｛（α×Ｌｄｅｆ）／（２×ｆｋ）｝×｛ｃｏｓ（Ｑ／２）−ｓｉｎ（Ｑ／２）×ｔａｎθ｝≦０．０１４
【手続補正５】
【補正対象書類名】明細書
【補正対象項目名】００２６
【補正方法】変更
【補正の内容】
【００２６】
第４の発明は、少なくとも主走査方向に離間した複数の発光点を有する光源手段と、該光源手段から発せられた複数の光束を偏向する偏向手段と、該偏向手段で偏向された該複数の光束を被走査面上に結像させる走査光学系と、該偏向手段で偏向された複数の光束を受光し、該複数の光束が該被走査面上の走査有効範囲へ走査を開始するタイミングを検知する同期検知手段とを有するマルチビーム光走査装置において、
前記偏向手段の偏向面に入射する複数の光束の夫々の主走査方向の幅が、前記光源手段から発せられた複数の光束を前記被走査面上の走査有効範囲全域ならびに走査有効範囲外に設けられた同期検知手段へ向けて偏向させる際に前記偏向手段の偏向面が移動して存在しうる主走査方向の移動範囲よりも広くなっており、
該光源手段から発せられた複数の光束が該偏向手段へ入射する際に該複数の光束の主光線が主走査方向に成す角度をα（ｒａｄ）、該偏向手段の偏向面から該偏向手段の回転中心までの距離をＬｄｅｆ（ｍｍ）、前記走査光学系の主走査方向の焦点距離をｆｋとしたとき、次の条件を満足する構成をとる。
（α×Ｌｄｅｆ）／（２×ｆｋ）≦０．０１４